(57)【要約】【課題】本発明はガーターフレーム（架台）に対し、ローラスタンドを調整することなく、従来形ベルトコンベアにおいてローラのみ、その高さ及び傾斜角を調整することにより、コンベアの弯曲によるベルトとローラとの接面調整を簡便迅速に行うことを目的とする。【解決手段】架台１にベルトコンベア２のローラ３，３’のスタンド４，４’が設けられ、該スタンド４，４’のそれぞれ上端に上記ローラ３，３’Ｕ形軸受溝５が設けられ、上記軸受溝５内に上記ローラ３，３’の軸受板６を着脱自在に挿入することを特徴とするベルトコンベアにおけるベルト・ローラ接面調整法。【選択図】  図２
2004292140.tif 000002
【特許請求の範囲】
【請求項１】
架台にベルトコンベアのローラのスタンドが設けられ、該スタンドのそれぞれ上端に上記ローラのＵ形軸受溝が設けられ、
上記軸受溝内に上記ローラの１枚又は複数枚の軸受板を着脱自在に挿入することを特徴とするベルトコンベアにおけるベルト・ローラ接面調整法。
【請求項２】
架台にベルトコンベアのローラのスタンドを設け、該スタンドのそれぞれ上端に上記ローラのＵ形軸受溝を設け、
上記軸受溝内に上記ローラの１枚又は複数枚の軸受板を着脱自在に挿入するよう形成してなるベルトコンベアにおけるベルト・ローラ接面調整装置。
【請求項３】
上記軸受板がＨ形であって、上記軸受溝内にＨ形の中央部を落し込み、かつＨ形の両凹溝を上記軸受溝の対向縁の両側面に係合させる請求項２記載のベルトコンベアにおけるベルト・ローラ接面調整装置。
【請求項４】
上記軸受板が逆Ｕ形であって、上記軸受溝内に逆Ｕ形の中央部を落し込み、かつ逆Ｕ形の両側板を上記軸受溝の底部から下方に垂下させてなる請求項２記載のベルトコンベアにおけるベルト・ローラ接面調整装置。
【請求項５】
ローラスタンドが上記架台の中央部に低く２個設けられ、かつそれらの両側に高く複数設けられ、中央ローラスタンド間及び高低ローラスタンド間にキャリアローラを設けてなる請求項２〜４のいずれかに記載のベルトコンベアにおけるベルト・ローラ接面調整装置。
【請求項６】
中央部又は内側のローラスタンドの上端部には内側に直立面、外側に傾斜面が設けられ、直立及び傾斜両面に上記Ｕ形軸受溝を形成してなる請求項２〜５のいずれかに記載のベルトコンベアにおけるベルト・ローラ接面調整装置。
【請求項７】
架台のローラスタンドに代り、機枠に設けたローラ軸直立支持板である請求項２〜４のいずれかに記載のベルトコンベアにおけるベルト・ローラ接面調整装置。
【発明の詳細な説明】
【０００１】
【発明の属する技術分野】
本発明はベルトコンベアローラとベルトとの接面調整に関する技術に関するものである。
【０００２】
【従来の技術】
従来、ベルトコンベアのベルトとローラとの接面調整においてはローラスタンドとガーターフレーム（架台）の取付部にライナーを挟み込む方式が用いられた。
【０００３】
この方法ではその都度、ボルト・ネジを取外し、ライナーを敷いて再度、ボルトを取付けるという労力が掛かるし、ライナーを敷くことに依り、ローラスタンド自体のレベルが変わるため不必要なところにまで影響を与えることになり新たな弊害が生じた。
【０００４】
又ローラ支持受けをローラ毎に設け、該支持受けとガーターフレームとを起伏部材で接続し、ボルト・ナット又はリンクでローラの傾斜を調整したため、その調整に労力を要し、又はリンクの長さ調整に精度と設備を要した（例えば特許文献１，２）。
【０００５】
【発明が解決しようとする課題】
本発明はガーターフレーム（架台）に対し、ローラスタンドを調整することなく、従来形ベルトコンベアにおいてローラのみ、その高さ及び傾斜角を調整することにより、コンベアの弯曲によるベルトとローラとの接面調整を簡便迅速に行うことを目的とする。
【０００６】
【特許文献１】
特開２０００−１７７８２９号公報
【特許文献２】
特開平１０−３３８３２４号公報
【０００７】
【課題を解決するための手段】
上記の目的を達成するため本発明は
第１に架台にベルトコンベアのローラのスタンドが設けられ、該スタンドのそれぞれ上端に上記ローラのＵ形軸受溝が設けられ、上記軸受溝内に上記ローラの１枚又は複数枚の軸受板を着脱自在に挿入することを特徴とするベルトコンベアにおけるベルト・ローラ接面調整法、
第２に架台にベルトコンベアのローラのスタンドを設け、該スタンドのそれぞれ上端に上記ローラのＵ形軸受溝を設け、上記軸受溝内に上記ローラの１枚又は複数枚の軸受板を着脱自在に挿入するよう形成してなるベルトコンベアにおけるベルト・ローラ接面調整装置、
第３に上記軸受板がＨ形であって、上記軸受溝内にＨ形の中央部を落し込み、かつＨ形の両凹溝を上記軸受溝の対向縁の両側面に係合させる上記第２発明記載のベルトコンベアにおけるベルト・ローラ接面調整装置、
第４に上記軸受板が逆Ｕ形であって、上記軸受溝内に逆Ｕ形の中央部を落し込み、かつ逆Ｕ形の両側板を上記軸受溝の底部から下方に垂下させてなる上記第２発明記載のベルトコンベアにおけるベルト・ローラ接面調整装置、
第５にローラスタンドが上記架台の中央部に低く２個設けられ、かつそれらの両側に高く複数設けられ、中央ローラスタンド間及び高低ローラスタンド間にキャリアローラを設けてなる上記第２〜第４発明のいずれかに記載のベルトコンベアにおけるベルト・ローラ接面調整装置、
第６に中央部又は内側のローラスタンドの上端部には内側に直立面、外側に傾斜面が設けられ、直立及び傾斜両面に上記Ｕ形軸受溝を形成してなる上記第２〜第５発明のいずれかに記載のベルトコンベアにおけるベルト・ローラ接面調整装置、
第７に架台のローラスタンドに代り、機枠に設けたローラ軸直立支持板である上記第２〜第４発明のいずれかに記載のベルトコンベアにおけるベルト・ローラ接面調整装置、によって構成される。
【０００８】
【発明の実施の形態】
機枠７，７にアングル形鋼による水平架台１を架設し、ベルトコンベア２の中央キャリアローラ３の低いローラスタンド４，４を架台１の中央部に立設し、
該ローラスタンド４，４の両外側にそれぞれ両側キャリアローラ３’，３’の高いローラスタンド４’，４’を立設する（図１（イ）図）。
【０００９】
自動調芯ローラ３”，３ａ，３ａにおいては図５に示すように架台１の両側を上向に傾斜させ架台１の中心部を機枠７に直立軸８によって水平方向に遊転自在に支持し、架台１の両側をスライダー９，９で摺動自在に支持するものである。
【００１０】
中央部の上記スタンド４，４及び両側の上記スタンド４’，４’のそれぞれ上端に中央ローラ３及び両側ローラ３’，３’又は３”，３ａの突出支軸１０，１０用のＵ形軸受溝５を形成し、各ローラ３，３’，３”，３ａの上記突出支軸１０，１０は該溝５，５に嵌合支持され、
図１、図５に示すように中央ローラ３，３”及びサイドローラ３’，３ａを低いスタンド４，４間及び低いスタンド４と高いスタンド４’間に軸支する。
【００１１】
上記中央ローラ３，３”及びサイドローラ３’，３ａ上にコンベア２のベルトを走行させるが、コンベア２の弯曲部分又は各種自動調芯用テーパローラ３ａ，３ａ（図５）において、
上記Ｕ形軸受溝５内に上記ローラ３，３’又は３”，３ａの突出支軸１０の軸受板６を着脱自在に落し込み、該軸受板６によりローラ３，３’又は３”，３ａの両端に突出した支軸１０，１０を支持し、該支軸１０，１０の高さをＵ形軸受溝５のＵ形底面より上記軸受板６によって高さｈだけ高く支持することができるものである（図１（ハ）図、図４（イ）図）。
【００１２】
上記軸受板６は図２（イ）（ロ）図及び図３（イ）（ハ）図に示すようにＨ形であって上記軸受溝５内にＨ形の中央部の方形主板６’を落し込み、かつ該主板６’の両端に形成した凹溝６”，６”を上記軸受溝５の対向縁５’，５’のそれぞれ両側面に嵌合又は係合させ、上記主板６’によってローラ３，３’，３”，３ａの支軸１０を支持する（図１（ハ）図、図２（イ）図、図４（イ）図）。
【００１３】
中央部の上記低いスタンド４，４はそれぞれ図３（ロ）図に示すように上端内側直立面４”及び上端外側傾斜面４ａにそれぞれＵ形軸受溝５，５を形成し、外側傾斜面４ａのＵ形軸受溝５内にサイドローラ３’の内側突出支軸１０を支持するものであり該Ｕ形軸受溝５にも上記Ｈ形軸受板６を上述のように落し込み、該支軸１０を持上げて軸支することができる。
【００１４】
従って上記Ｕ形軸受溝５内に図１（ハ）図、図２（イ）図、図４（イ）図に示すようにＨ形軸受板６をそれぞれ１枚宛または複数板重ねて落し込むことによって中央ローラ３又はサイドローラ３’，３’の水準位置を上記高さｈ又はこれに積重軸受板６の厚さ（ｔ×ｎ）を加えた分だけ上方に平行移動調整し、その上のベルトとの不接触を解消することができる（ｎは積重枚数）。
【００１５】
又ベルトコンベア２の弯曲又は蛇行位置において、サイドローラ３’又は３ａの傾斜角度を外側のＵ形軸受溝５の低部のみ又は外側スタンド４’のみにＨ形軸受板６を落し込むことによってサイドローラ３’，３ａの外側を低く又は高く角度調整して上記弯曲又は蛇行によるベルトとローラとの接面を接触調整することができる。
【００１６】
さらに図５に示す自動調芯装置１１の外側テーパローラ３ａ，３ａの一方のテーパ面の角度を調整することにより、ベルトの自動調芯精度を調整することができる。
【００１７】
上記Ｈ形の軸受板６に代り図６（イ）〜（ヘ）図に示す逆Ｕ形軸受板６ａ（上端水平部６ａ’の両側板６ａ”，６ａ”を垂下させた軸受板６ａであっても差支えない）を用いることができ、図６（ロ）（ハ）図に示すようにＵ形軸受溝５の底部に該軸受板６ａの上端弯曲部６ａ’（上端ほぼ水平部６ａ’でも良い）を落し込み、両側板６ａ”，６ａ”を上記スタンド４の両側下方に垂下挟持させて用いることができる。複数個積重して用いる場合は上段軸受板６ａの内幅を下段軸受板６ａの外幅と同一又は大とする。又図６（ニ）（ホ）（ヘ）図に示すように両側板６ａ”，６ａ”の幅を軸受板６ａ’の幅より大とすることにより安定よく保持することができる。
【００１８】
上記ローラ３，３’，３”，３ａは上述のように中央ローラ３，３”とその両側のサイドローラ３’，３ａによるキャリアローラばかりでなく両側柱状機枠７，７に対向配設したＬ形軸受板１２，１２によるローラ軸支板であっても差支えなく、該軸受板１２，１２の直立板１２’の上端にＵ形軸受溝５，５を形成し、１個のリタンローラ１３の両端支軸１０，１０を軸支するものであっても差支えない。
【００１９】
尚図４（イ）（ロ）図中１０’は支軸１０とＵ形軸受溝５の対向縁５’，５’に接面する支軸１０回動防止面である。
【００２０】
【発明の効果】
本発明は上記ローラスタンド又は直立板の上端にＵ字形軸受溝を設け、該溝内に軸受板を着脱自在に挿入し、該軸受板によってコンベアローラの遊転軸を軸支するものであるため、コンベアローラは上昇支持されて該ローラとコンベアベルトとの接面を適宜簡便に接触状態に調整し、コンベアの弯曲又は蛇行に対応し、かつ上記接面を充分行い得る効果がある。
【００２１】
又上記軸受板がＨ形であって上記Ｕ形軸受溝内に落し込むだけでＨ形の両凹溝がＵ形軸受溝の対向縁の両側面に係合して中央の受板でローラ遊転軸を支持するため、ローラのみの昇降又は傾斜を簡便に調整し得て、ボルト等による特別の装置を要しないという利点がある。
【図面の簡単な説明】
【図１】（イ）図は本発明のベルトコンベアを示す正面図である。
（ロ）図は（イ）図の一部拡大正面図である。
（ハ）図は（ロ）図Ａ−Ａ線による側面図である。
【図２】（イ）図はローラスタンドの上端平面図である。
（ロ）図はＨ形軸受板の斜視図である。
（ハ）図はローラスタンドの上端部斜視図である。
【図３】（イ）（ハ）図はＨ形軸受板の斜視図である。
（ロ）図は中央部の低いローラスタンドの上端部斜視図である。
【図４】（イ）図はＨ形軸受板でローラ遊動軸を支持した状態の縦断面図である。
（ロ）図はＵ形軸受溝で上記遊動軸を直接支持した状態の縦断面図である。
【図５】自動調芯装置の正面図である。
【図６】（イ）図は逆Ｕ形の軸受板をＵ形軸受溝内に挿入した状態の平面図である。
（ロ）図は逆Ｕ形軸受板を示す斜視図である。
（ハ）図は（ロ）図の斜視図である。
（ニ）図はＵ形の軸受板の他の実施例の平面図である。
（ホ）図は（ニ）図の正面図である。
（ヘ）図は（ホ）図の斜視図である。
【符号の説明】
１      架台
２      ベルトコンベア
３，３’，３”，３ａ  ローラ
４，４’  ローラスタンド
４”    直立面
４ａ    傾斜面
５      Ｕ形軸受溝
６      軸受板
【図１】
2004292140.tif 000003
【図２】
2004292140.tif 000004
【図３】
2004292140.tif 000005
【図４】
2004292140.tif 000006
【図５】
2004292140.tif 000007
【図６】
2004292140.tif 000008